(57)【要約】【課題】娯楽性及び操作性を共に向上させることができ、魅力ある個人コンテンツの作成を行うことのできるコンテンツ作成装置を提供する。【解決手段】コンテンツ作成装置５は、デジタルカメラ８から、写真画像Ｐとそれに付随するタグ情報Ｔ１とを取り込み、タグ情報Ｔ１に基づき、写真画像Ｐに付加する周辺情報Ｄをインターネット２を通じ情報管理サーバ４から取得する。そして、情報管理サーバ４から取得した周辺情報Ｄを写真画像Ｐとともに画面上に表示させ、該画面上で選択された周辺情報Ｄを写真画像Ｐに付加してそれらによるスライドショーを実行する。【選択図】図１
2007104326.tif 000002
【特許請求の範囲】
【請求項１】
個人コンテンツを作成するコンテンツ作成装置であって、
写真画像と該写真画像に付随するタグ情報とを取り込む取込手段と、
前記タグ情報に基づき、前記写真画像に付加する周辺情報をネットワークを通じて管理サーバより取得する周辺情報取得手段と、
前記周辺情報を前記写真画像とともに画面表示させる周辺情報表示手段と、
前記画面上で選択された周辺情報を対応する前記写真画像に付加してコンテンツページを作成するページ作成手段と、
を備えることを特徴とするコンテンツ作成装置。
【請求項２】
前記周辺情報は、画像情報、文字情報、音楽情報のうち少なくともいずれかを含む、
請求項１記載のコンテンツ作成装置。
【請求項３】
前記タグ情報は、前記写真画像の撮影時に生成される一次情報であり、
前記取込手段は、前記写真画像の取り込み時にタグ記入シートを画面上に表示させ、該タグ記入シートに入力された二次情報をさらに前記タグ情報として取り込み、
前記周辺情報取得手段は、前記一次情報、前記二次情報のうち少なくともいずれかを検索キーとして、前記周辺情報の取得を行う、
請求項１又は２記載のコンテンツ作成装置。
【請求項４】
前記取込手段は、ユーザの個人プロフィールを登録するプロフィール記入シートを画面上に表示させ、該プロフィール記入シートに入力されたプロフィール情報をさらに取り込み、
前記周辺情報取得手段は、前記一次情報、前記二次情報、前記プロフィール情報のうち少なくともいずれかを検索キーとして、前記周辺情報の取得を行う、
請求項３記載のコンテンツ作成装置。
【請求項５】
前記画面上で選択された周辺情報の種別を判断し該周辺情報の選択頻度を履歴情報として登録する履歴管理手段を備え、
前記周辺情報取得手段は、前記履歴情報に基づいて、前記周辺情報を前記選択頻度の高いものから優先的に取得する、
請求項１乃至４記載のコンテンツ作成装置。
【請求項６】
前記周辺情報表示手段は、前記写真画像を画面上の所定位置に表示させるとともに、該写真画像の周りを画面手前と画面奥との間で周回移動させるように前記周辺情報を表示させ、当該周回軌道上で画面奥から画面手前に向かって前記周辺情報を周回移動させる際には該周辺情報を徐々に拡大して表示させ、画面手前から画面奥に向かって前記周辺情報を周回移動させる際には該周辺情報を徐々に縮小して表示させる、
請求項１乃至５のいずれか一項記載のコンテンツ作成装置。
【請求項７】
前記周辺情報表示手段は、前記写真画像を画面上の所定位置に表示させるとともに、該写真画像の周囲において前記周辺情報の表示位置を情報種別を示すカテゴリ毎に区分し、前記周辺情報をそれぞれのカテゴリに対応した位置で画面手前と画面奥との間で周回移動させるように表示させるとともに、それぞれの周回軌道上で画面奥から画面手前に向かって前記周辺情報を周回移動させる際には該周辺情報を徐々に拡大して表示させ、画面手前から画面奥に向かって前記周辺情報を周回移動させる際には該周辺情報を徐々に縮小して表示させる、
請求項１乃至５のいずれか一項記載のコンテンツ作成装置。
【請求項８】
前記周辺情報は、皿状の台座の上に載置されて表示される、
請求項６又は７記載のコンテンツ作成装置。
【請求項９】
前記台座の色は、前記周辺情報のカテゴリ別に色分けされてなる、
請求項８記載のコンテンツ作成装置。
【請求項１０】
前記台座の色は、前記周辺情報の選択頻度に応じて色分けされてなる、
請求項８記載のコンテンツ作成装置。
【請求項１１】
前記台座の色は、前記周辺情報を課金する料金に応じて色分けされてなる、
請求項８記載のコンテンツ作成装置。
【請求項１２】
前記ページ作成手段は、前記写真画像と前記周辺情報とからなるスライドショーを前記コンテンツページとして作成する、
請求項１乃至１１のいずれか一項記載のコンテンツ作成装置。
【請求項１３】
前記ページ作成手段は、前記周辺情報が前記画像情報又は前記文字情報の場合は、前記写真画像に続いて該画像情報又は該文字情報を順次表示し、前記周辺情報が前記音楽情報の場合は、該音楽情報に基づきダウンロードした音楽を再生する、
請求項１２記載のコンテンツ作成装置。
【請求項１４】
個人コンテンツを作成するコンテンツ作成方法であって、
写真画像と該写真画像に付随するタグ情報とを取り込むステップと、
前記タグ情報に基づき、前記写真画像に付加する周辺情報をネットワークを通じて管理サーバより取得するステップと、
前記周辺情報を前記写真画像とともに画面表示させるステップと、
前記画面上で選択された周辺情報を対応する前記写真画像に付加してコンテンツページを作成するステップと、
を備えることを特徴とするコンテンツ作成方法。
【発明の詳細な説明】
【技術分野】
【０００１】
本発明は、コンテンツ作成装置及びコンテンツ作成方法に関する。
【背景技術】
【０００２】
近年、デジタルカメラが急速に普及してきている。ユーザは、デジタルカメラで撮影した画像（写真画像）を閲覧する場合、その画像をパソコン等のコンピュータに格納し、そのコンピュータにインストールされた画像アプリケーションソフトウエア（例えば、特許文献１参照）を用いてコンピュータのディスプレイ上に表示させることで、閲覧を行うことができる。
【特許文献１】特開２００４−１２６３３号公報
【特許文献２】特開２００１−１６７１１５号公報
【発明の開示】
【発明が解決しようとする課題】
【０００３】
しかし、従来の画像アプリケーションソフトウエアを利用した画像閲覧方法では娯楽性に欠けるといった課題がある。即ち、特許文献１に記載のソフトウェアでは、画像が画面上に複数枚並べて表示（サムネイル表示）されるのみであるため、画像の閲覧を楽しむといった点では必ずしも満足できるものではなかった。
【０００４】
そこで、デジタルカメラから取り込んだ写真画像にユーザが個人で収集した素材（コンテンツ）を貼り付けて電子アルバムを作成する電子アルバム作成支援システムなるものも提案されている（例えば、特許文献２参照）。
【０００５】
しかしながら、特許文献２に記載のシステムでは、電子アルバムに貼り付けるコンテンツをユーザが自分で探し出してきて貼り付ける必要があるため、コンテンツを探すという手間と、探したコンテンツを電子アルバム上に貼り付けてアルバム作成するという手間とが必要となり、作成に大変な手間がかかるという問題があった。又、電子アルバムに貼り付けるコンテンツを個人で探し出すには限度があり、必ずしも魅力あるコンテンツを収集できないという不具合もあった。
【０００６】
本発明は、こうした従来の実情に鑑みてなされたものであり、その目的は、娯楽性及び操作性を共に向上させることができ、魅力ある個人コンテンツの作成を行うことのできるコンテンツ作成装置及びコンテンツ作成方法を提供することにある。
【課題を解決するための手段】
【０００７】
上記目的を達成するため、本発明の第１の態様では、個人コンテンツを作成するコンテンツ作成装置において、写真画像と該写真画像に付随するタグ情報とを取り込む取込手段と、前記タグ情報に基づき、前記写真画像に付加する周辺情報をネットワークを通じて管理サーバより取得する周辺情報取得手段と、前記周辺情報を前記写真画像とともに画面表示させる周辺情報表示手段と、前記画面上で選択された周辺情報を対応する前記写真画像に付加してコンテンツページを作成するページ作成手段と、を備えたことを要旨とする。
【０００８】
この構成によれば、ユーザは、タグ情報に基づき自動取得された周辺情報の中から希望する情報を選択するのみで、その周辺情報を写真画像に付加した個人コンテンツの作成を行うことができる。ユーザは、周辺情報を自分で検索するといった煩雑な作業を行わずともよいため、個人コンテンツの作成を容易かつ短時間に行うことができる。又、本構成では、タグ情報から周辺情報を検索するため、写真画像に関連性のある魅力ある周辺情報の取得を行うことができる。
【０００９】
上記構成のコンテンツ作成装置においては、前記周辺情報は、画像情報、文字情報、音楽情報のうち少なくともいずれかを含む、といった態様を採用することができる。
この構成によれば、画像情報に限らず、文字情報や音楽情報が周辺情報として取得されることにより、コンテンツ内容（情報）をより充実させることができる。
【００１０】
上記構成のコンテンツ作成装置においては、前記タグ情報は、前記写真画像の撮影時に生成される一次情報であり、前記取込手段は、前記写真画像の取り込み時にタグ記入シートを画面上に表示させ、該タグ記入シートに入力された二次情報をさらに前記タグ情報として取り込み、前記周辺情報取得手段は、前記一次情報、前記二次情報のうち少なくともいずれかを検索キーとして、前記周辺情報の取得を行う、といった態様を採用することができる。
【００１１】
この構成によれば、一次情報のみでは不十分なタグ情報をタグ記入シートに入力された二次情報により補い、それらを検索キーとして周辺情報の検索を行うことで、より関連性の高い周辺情報を取得することが可能となる。
【００１２】
上記構成のコンテンツ作成装置においては、前記取込手段は、ユーザの個人プロフィールを登録するプロフィール記入シートを画面上に表示させ、該プロフィール記入シートに入力されたプロフィール情報をさらに取り込み、前記周辺情報取得手段は、前記一次情報、前記二次情報、前記プロフィール情報のうち少なくともいずれかを検索キーとして、前記周辺情報の取得を行う、といった態様を採用することができる。
【００１３】
この構成によれば、一次情報、二次情報に加えて、プロフィール情報をさらに検索キーとして周辺情報の検索を行うことにより、より一層関連性の高い周辺情報を取得することが可能となる。
【００１４】
上記構成のコンテンツ作成装置においては、前記画面上で選択された周辺情報の種別を判断し該周辺情報の選択頻度を履歴情報として登録する履歴管理手段を備え、前記周辺情報取得手段は、前記履歴情報に基づいて、前記周辺情報を前記選択頻度の高いものから優先的に取得する、といった態様を採用することができる。
【００１５】
この構成によれば、よりユーザの好み・傾向にあった周辺情報を取得することが可能となる。
上記構成のコンテンツ作成装置においては、前記周辺情報表示手段は、前記写真画像を画面上の所定位置に表示させるとともに、該写真画像の周りを画面手前と画面奥との間で周回移動させるように前記周辺情報を表示させ、当該周回軌道上で画面奥から画面手前に向かって前記周辺情報を周回移動させる際には該周辺情報を徐々に拡大して表示させ、画面手前から画面奥に向かって前記周辺情報を周回移動させる際には該周辺情報を徐々に縮小して表示させる、といった態様を採用することができる。
【００１６】
この構成によれば、取得された周辺情報の中にどのような情報が含まれているのかが、直感的に分かりやすくなる。又、単に羅列して表示されるよりも、周辺情報を楽しみながら閲覧・選択することができるため、見た目にも優れた娯楽性の高いユーザーインターフェースとすることができる。
【００１７】
上記構成のコンテンツ作成装置においては、前記周辺情報表示手段は、前記写真画像を画面上の所定位置に表示させるとともに、該写真画像の周囲において前記周辺情報の表示位置を情報種別を示すカテゴリ毎に区分し、前記周辺情報をそれぞれのカテゴリに対応した位置で画面手前と画面奥との間で周回移動させるように表示させるとともに、それぞれの周回軌道上で画面奥から画面手前に向かって前記周辺情報を周回移動させる際には該周辺情報を徐々に拡大して表示させ、画面手前から画面奥に向かって前記周辺情報を周回移動させる際には該周辺情報を徐々に縮小して表示させる、といった態様を採用することができる。
【００１８】
この構成によれば、取得された周辺情報の中にどのような情報が含まれているのかが、直感的に分かりやすくなる。又、周辺情報をそのカテゴリに従って選択できるため、周辺情報の選択が行いやすくなる。又、周辺情報が単に羅列して表示されるよりも、周辺情報を楽しみながら閲覧・選択することができるため、見た目にも優れた娯楽性の高いユーザーインターフェースとすることができる。
【００１９】
上記構成のコンテンツ作成装置においては、前記周辺情報は、皿状の台座の上に載置されて表示される、といった態様を採用することができる。
この構成によれば、周辺情報を閲覧・選択する楽しみを倍増させることができる。
【００２０】
上記構成のコンテンツ作成装置においては、前記台座の色は、前記周辺情報のカテゴリ別に色分けされてなる、といった態様を採用することができる。
この構成によれば、カテゴリ別に台座が色分け表示されることにより、周辺情報の選択がより行いやすくなる。
【００２１】
上記構成のコンテンツ作成装置においては、前記台座の色は、前記周辺情報の選択頻度に応じて色分けされてなる、といった態様を採用することができる。
この構成によれば、ユーザが過去に選択した周辺情報のカテゴリを台座の色から判断することができるため、周辺情報の選択がより一層行いやすくなる。
【００２２】
上記構成のコンテンツ作成装置においては、前記台座の色は、前記周辺情報を課金する料金に応じて色分けされてなる、といった態様を採用することができる。
この構成によれば、周辺情報を取得するために必要な料金を台座の色から判断することができる。
【００２３】
上記構成のコンテンツ作成装置においては、前記ページ作成手段は、前記写真画像と前記周辺情報とからなるスライドショーを前記コンテンツページとして作成する、といった態様を採用することができる。
【００２４】
この構成によれば、写真画像のみならず、その周辺情報を一緒に楽しむことができる。
上記構成のコンテンツ作成装置においては、前記ページ作成手段は、前記周辺情報が前記画像情報又は前記文字情報の場合は、前記写真画像に続いて該画像情報又は該文字情報を順次表示し、前記周辺情報が前記音楽情報の場合は、該音楽情報に基づきダウンロードした音楽を再生する、といった態様を採用することができる。
【００２５】
この構成によれば、写真画像をそれに関連する画像情報、文字情報、音楽情報とともに楽しむことができ、付加価値の高いコンテンツとすることができる。
本発明の第２の態様では、個人コンテンツを作成するコンテンツ作成方法であって、写真画像と該写真画像に付随するタグ情報とを取り込むステップと、前記タグ情報に基づき、前記写真画像に付加する周辺情報をネットワークを通じて管理サーバより取得するステップと、前記周辺情報を前記写真画像とともに画面表示させるステップと、前記画面上で選択された周辺情報を対応する前記写真画像に付加してコンテンツページを作成するステップと、を備えたことを要旨とする。
【００２６】
この方法によれば、上記第１の態様で奏する効果と同様の効果を奏することができる。
【発明を実施するための最良の形態】
【００２７】
（第１の実施の形態）
以下、本発明を具体化した第１の実施の形態を図面に従って説明する。
図１は、本実施の形態に係るコンテンツ作成システム１を示す概略構成図である。このコンテンツ作成システム１は、インターネット２を介して、情報提供元である一又は複数のＷｅｂサイト３と、そのＷｅｂサイト３が提供する情報の収集、配信等を行う情報管理サーバ（サーバコンピュータ）４と、その情報管理サーバ４が収集した情報を取得して、個人コンテンツの作成を行うコンテンツ作成装置５とが接続されている。
【００２８】
コンテンツ作成装置５はユーザの操作する操作端末であり例えばパソコン等により構成される。このコンテンツ作成装置５には、操作装置６及び表示装置７（各々図２参照）が接続されるとともに、デジタルカメラ８等の外部機器が挿抜可能に接続される。操作装置６はキーボード等により構成され、表示装置７は液晶モニタ等により構成される。なお、外部機器は必ずしもデジタルカメラ８に限定されず、例えばカメラ内蔵型携帯電話機器等であってもよい。本実施の形態においては、インターネット２が「ネットワーク」に相当し、情報管理サーバ４が「管理サーバ」に相当する。
【００２９】
図２は、コンテンツ作成装置５の概略機能構成を示すブロック図である。
コンテンツ作成装置５は、同装置５内にアプリケーションソフトウェアとして組み込まれ（インストールされ）、ユーザによる個人コンテンツの作成を支援する作成支援ソフト１１と、各種データを格納するデータ記憶部１２とを有する。
【００３０】
作成支援ソフト１１は、デジタルカメラ８から写真画像の取り込みを行う取込制御部２０と、その取り込んだ写真画像に付加する後述する周辺情報の取得、表示等の処理を行う周辺情報管理部３０と、それら写真画像と周辺情報とに基づいてスライドショーの作成、表示を行うスライドショー実行部４０とにより構成される。データ記憶部１２には、写真情報ファイルＦ１、プロフィール情報ファイルＦ２、周辺情報ファイルＦ３、履歴情報ファイルＦ４、スライドショーデータファイルＦ５、タグ記入シートＳ１、プロフィール記入シートＳ２が格納される。
【００３１】
取込制御部２０は、写真取込部２１と、タグ登録部２２と、プロフィール登録部２３とから構成される。なお、本実施の形態においては、取込制御部２０が「取込手段」に相当する。
【００３２】
写真取込部２１は、コンテンツ作成装置５に接続されたデジタルカメラ８から写真画像Ｐとそれに付随するタグ情報Ｔ１との取り込みを行う処理部である。なお、タグ情報Ｔ１は、写真画像Ｐの内容を規定する情報であり、撮影時にデジタルカメラ８により生成される。写真取込部２１は、これらの写真画像Ｐとタグ情報Ｔ１とを写真情報ファイルＦ１に登録する。図３に示すように、タグ情報Ｔ１には、例えば、撮影日時、撮影場所（緯度・経度）、撮影方位、撮影距離、撮影仰角、天候・気温、撮影情報などの情報が含まれる。なお、本実施の形態においては、タグ情報Ｔ１が「一次情報」に相当する。
【００３３】
タグ登録部２２は、図４に示すようなタグ記入シートＳ１を表示装置７の画面上に表示させ、そのタグ記入シートＳ１に入力された情報をタグ情報Ｔ２として写真情報ファイルＦ１に登録する処理部である。このタグ記入シートＳ１は写真画像Ｐの取り込み時に表示される。なお、タグ記入シートＳ１内に設ける項目欄の種類は任意である。図４に示すように、本実施の形態では、例えば、写真のタイトル、撮影日、撮影場所（撮影地の住所）、写真内の人物や建物（いわゆる被写体）の名前等を登録する項目欄が設定されている。なお、本実施の形態においては、タグ情報Ｔ２が「二次情報」に相当する。
【００３４】
プロフィール登録部２３は、図５に示すようなプロフィール記入シートＳ２を表示装置７の画面上に表示させてユーザに個人プロフィールの入力を促し、そのプロフィール記入シートＳ２に入力された情報をプロフィール情報Ｙ１としてプロフィール情報ファイルＦ２に登録する処理部である。なお、プロフィール記入シートＳ２を表示するタイミングは任意である。例えば、写真画像Ｐの取り込み時に、前述したタグ記入シートＳ１に続いて表示させるようにしてもよい。又、プロフィール記入シートＳ２内に設ける項目欄の種類も任意である。図５に示すように、本実施の形態では、例えば、ユーザの名前、年齢、性別、出身地、出身小学校、趣味、興味、記憶に残っている事柄、好きな雑誌・本、好きなＴＶ番組、好きな歌・音楽等を登録する項目欄が設定されている。
【００３５】
周辺情報管理部３０は、周辺情報取得部３１と、周辺情報表示部３２と、履歴管理部３３とにより構成される。
周辺情報取得部３１は、インターネット２を通じて情報管理サーバ４にアクセスし、該情報管理サーバ４から写真画像Ｐに付加する周辺情報を取得する処理部である。なお、ここでいう「周辺情報」とは、ユーザの写真画像Ｐやそのユーザにまつわる関連情報を意味する。本実施の形態において、この「周辺情報」には、画像情報、文字情報（テキストのみの情報）の他、音楽情報も含まれる。
【００３６】
周辺情報取得部３１は、このような周辺情報を、写真画像Ｐに付随するタグ情報Ｔ１、ユーザにより登録されたタグ情報Ｔ２、及びユーザのプロフィール情報Ｙ１のうち少なくともいずれかを検索キーに、インターネット２を通じて情報管理サーバ４から取得する。この際、タグ情報Ｔ２やプロフィール情報Ｙ１が登録されていない場合には、タグ情報Ｔ１のみを検索キーとする。なお、タグ情報Ｔ２やプロフィール情報Ｙ１のみを検索キーとして情報検索することも可能である。勿論、ユーザが、上記のうちから検索キーを任意に選択するようにしてもよい。
【００３７】
図６は、周辺情報Ｄの検索例を示す説明図である。
図６（ａ）は、ユーザの１歳の誕生日のときに撮影された写真画像Ｐ１について、それに付加する周辺情報Ｄを、タグ情報Ｔ１の「撮影日時（１９７５．５．１０）」と、タグ情報Ｔ２の「撮影場所（長野県伊那市）」とに基づき検索した例を示す説明図である。この例においては、撮影場所である伊那市市街の風景画像を示す周辺情報Ｄ１、撮影日時の当時の出来事であるモントリオールオリンピックに関する情報（画像や文字情報）を示す周辺情報Ｄ２、その当時の流行歌情報である周辺情報Ｄ３，Ｄ４などが周辺情報Ｄとして取得される。
【００３８】
図６（ｂ）は、ユーザが沖縄旅行をしたときに撮影された写真画像Ｐ２について、それに付加する周辺情報Ｄを、タグ情報Ｔ１の「撮影日時（２００５．５．１０）」と、タグ情報Ｔ２の「写真タイトル（沖縄旅行）」とに基づき検索した例を示す説明図である。この例においては、撮影日時の当時の事件情報（画像や文字情報）を示す周辺情報Ｄ１１、写真タイトルより検索された沖縄周辺の景色（画像）を示す周辺情報Ｄ１２、沖縄にまつわる歌情報である周辺情報Ｄ１３などが周辺情報Ｄとして取得される。
【００３９】
このように、周辺情報取得部３１は、撮影日時や撮影場所、写真タイトル等に基づいて、その当時の出来事や事件、その当時の街の風景画像、その当時の人気のＴＶ番組、その当時の人気の雑誌や漫画や本、その当時の流行歌や音楽等の情報（画像、文字、音楽）等を周辺情報Ｄとして情報管理サーバ４から取得する。
【００４０】
なお、ここでは図示を割愛しているが、例えばプロフィール情報Ｙ１の「年齢」を検索キーとした場合はその年齢に基づくエポックな時々（誕生日、入学式の年、就職の年など）に起きた時事に関する情報が、「趣味」や「興味」を検索キーとした場合はそれら趣味や興味に関する情報が周辺情報Ｄとして取得される。又、「記憶に残っている事」を検索キーとした場合はその事柄に関する情報が、「好きな雑誌・本」を検索キーとした場合はその雑誌や本に掲載されていた記事に関する情報が、「好きなＴＶ番組」を検索キーとした場合はそのＴＶ番組に関する画像が、「好きな歌・音楽」を検索キーとした場合はその歌や音楽がそれぞれ周辺情報Ｄとして取得される。なお、本実施の形態においては、周辺情報取得部３１が「周辺情報取得手段」に相当する。
【００４１】
周辺情報表示部３２は、周辺情報取得部３１により取得した周辺情報Ｄを対応する写真画像Ｐとともに表示装置７に画面表示させる処理部である。
図７は、写真画像Ｐ及び周辺情報Ｄの表示例を示す説明図である。
【００４２】
周辺情報表示部３２は、写真画像Ｐを画面上の所定位置（例えば、画面中央位置）に固定して表示させるとともに、その写真画像Ｐの周りを画面手前と画面奥との間で三次元的に周回移動させるように周辺情報Ｄ（Ｄ１，Ｄ２，Ｄ３，Ｄ４，…）を表示させる。その際、周回軌道上で画面奥から画面手前に向かって周辺情報Ｄを周回移動させる際には、その周辺情報Ｄを一定割合で徐々に拡大して表示させ、画面手前から画面奥に向かって周辺情報Ｄを周回移動させる際には、その周辺情報Ｄを一定割合で徐々に縮小して表示させるようにしている。例えば、同図７に示す状態のときには、周辺情報Ｄ１〜Ｄ４のうち周辺情報Ｄ１が最も拡大して表示され、周辺情報Ｄ２，Ｄ３，Ｄ４の順に徐々に縮小して表示される。このような表示態様とすることで、どのような周辺情報Ｄがあるのかがユーザが直感的に分かりやすくなる。又、単に羅列して表示させるよりも、周辺情報Ｄを閲覧する楽しさを提供することができ、見た目にも優れたユーザーインターフェースとすることができる。なお、本実施の形態においては、周辺情報表示部３２が「周辺情報表示手段」に相当する。
【００４３】
履歴管理部３３は、上記画面上に周回表示される複数の周辺情報Ｄの中からユーザにより選択された情報を周辺情報ファイルＦ３に登録するとともに、該選択された情報の種別を判断してユーザの選択頻度を履歴情報Ｒとして履歴情報ファイルＦ４に登録する処理部である。
【００４４】
図８は、履歴情報Ｒの登録例を示す説明図である。
今、例えば周辺情報Ｄ１，Ｄ２，Ｄ３，Ｄ４，…の中からユーザにより周辺情報Ｄ１と周辺情報Ｄ４とが選択されたと仮定する。履歴管理部３３は、これらの周辺情報Ｄ１，Ｄ４を周辺情報ファイルＦ３に登録するとともにそれらのカテゴリＣを判断する。ここでは、周辺情報Ｄ１は「街情報」、周辺情報Ｄ２は「出来事情報」、周辺情報Ｄ３，Ｄ４は「音楽情報」であり、履歴管理部３３は、ユーザにより選択された情報（Ｄ１，Ｄ４）がそれぞれ「街情報」，「音楽情報」のカテゴリＣ１，Ｃ２に属する情報であると判断する。履歴管理部３３は、こうして判断したカテゴリＣ１，Ｃ２を、そのユーザの履歴情報Ｒとして履歴情報ファイルＦ４に登録する。
【００４５】
本実施の形態では、こうした履歴情報Ｒを登録することにより、周辺情報取得部３１がタグ情報Ｔ１，Ｔ２やプロフィール情報Ｙ１に基づき周辺情報Ｄを取得する際には、履歴情報Ｒに基づいて、より選択頻度の高い周辺情報Ｄを優先的に取得するようにしている。即ち、図８に示すように、過去に例えばカテゴリＣ１，Ｃ２に分類される情報（「街情報」，「音楽情報」）が選択されている場合には、次回例えば写真画像Ｐ３に付加する周辺情報Ｄを取得する際に、それらカテゴリＣ１，Ｃ２に該当する周辺情報Ｄ２１，Ｄ２２を他の周辺情報Ｄ２３，Ｄ２４，Ｄ２５，Ｄ２６より優先的に取得するようにする。これにより、ユーザのより好みに合った周辺情報Ｄの取得を行うことができる。なお、本実施の形態においては、履歴管理部３３が「履歴管理手段」に相当する。
【００４６】
スライドショー実行部４０は、ユーザにより選択された周辺情報Ｄを周辺情報ファイルＦ３から読み込み、写真画像Ｐと周辺情報Ｄとによるスライドショーを作成して画面上に表示する処理部である。本実施の形態においては、このスライドショーは、周辺情報Ｄが画像情報や文字情報である場合は写真画像Ｐに続いてそれらの画像情報、文字情報を順次表示し、周辺情報Ｄが音楽情報である場合はその音楽情報に基づきダウンロードした音楽をバックミュージックとして再生するといった態様で行う。このようなスライドショーはスライドショー実行プログラム（アプリケーションソフトウェア）の実行に基づいて作成することができ、作成後はスライドショーデータファイルＦ５に保存することもできる。なお、本実施の形態においては、スライドショー実行部４０が「ページ作成手段」に相当する。
【００４７】
図９は、情報管理サーバ４の概略機能構成を示すブロック図である。
情報管理サーバ４は、コンテンツ作成装置５からの要求に応じてＷｅｂサイト３を通じて周辺情報Ｄの収集を行う管理ソフト５１と、各種データを格納するデータ記憶部５２とを有する。
【００４８】
管理ソフト５１は、ユーザ情報を管理するユーザ管理部６０と、Ｗｅｂサイト３を通じて周辺情報Ｄの収集を行うサイト情報管理部７０とから構成される。
ユーザ管理部６０は、ユーザのログイン名やパスワードなどによりユーザ認証を行い、ユーザの特定を行う認証部６１と、そのユーザ情報をデータ記憶部５２内のユーザ情報ファイルＦ１１に格納するユーザ登録部６２とを有する。ユーザ情報ファイルＦ１１には、ユーザを一意に識別するためのユーザＩＤや認証時に使用するパスワード、ユーザの名前、性別、住所等の個人情報などが格納されており、認証部６１は、コンテンツ作成装置５からインターネット２を通じて情報収集の要求を受付けると、このファイルＦ１１に登録されているユーザ情報に基づいてユーザ認証を行う。
【００４９】
サイト情報管理部７０は、コンテンツ作成装置５から受信した検索要求に基づきインターネット２を通じてＷｅｂサイト３にアクセスし、対応するページ（ＨＴＭＬ）を取得するサイト検索部７１と、取得したページの中から当該要求に対応する一部分を画像データとして取り出し周辺情報Ｄとして生成する周辺情報生成部７２とを有する。具体的には、サイト検索部７１は、検索キーとして受信したタグ情報Ｔ１，Ｔ２や、プロフィール情報Ｙ１、履歴情報Ｒ等に基づいて、Ｗｅｂサイト３が提供する各種コンテンツ情報を検索し、それにより取得したページをサイト情報ファイルＦ１２内に格納する。周辺情報生成部７２は、そのサイト情報ファイルＦ１２内に格納されたページの中から、当該検索キーに対応する画像情報、文字情報、音楽情報（例えば音楽ダウンロード先のＵＲＬ（Uniform Resource Locator）を示す情報）をそれぞれ画像データとして取り出し、それを送信すべき周辺情報Ｄとして生成する。これにより、情報管理サーバ４は、ユーザからの要求に応じた周辺情報Ｄを収集して、それを要求元のコンテンツ作成装置５に送信する。
【００５０】
図１０は、コンピュータ（コンテンツ作成装置５、情報管理サーバ４）のハードウェア構成を示すブロック図である。
コンピュータは、ＣＰＵ８１、メモリ８２、記憶装置８３、入力インターフェース（Ｉ／Ｆ）８４、出力Ｉ／Ｆ８５、通信装置８６及びドライブ装置８７を備え、それらはバス８８を介して相互に接続されている。
【００５１】
ＣＰＵ８１は、記憶装置８３に格納されているプログラムやデータをメモリ８２へ転送し、メモリ８２を利用してプログラムを実行する。メモリ８２はＲＯＭ、ＲＡＭ等により構成され、これには通常、キャッシュメモリ、システムメモリ、ディスプレイメモリ等が含まれる。記憶装置８３は、磁気ディスク装置、光ディスク装置、光磁気ディスク装置等により構成される。本実施の形態に係る作成支援ソフト１１や管理ソフト５１等に対応するプログラム及びそれらのプログラムの実行に必要なデータもこの記憶装置８３に格納される。ＣＰＵ８１は、これらのプログラムを実行することで、コンテンツ作成装置５を、取込制御部２０、周辺情報管理部３０、スライドショー実行部４０としてそれぞれ機能させたり、情報管理サーバ４を、ユーザ管理部６０、サイト情報管理部７０としてそれぞれ機能させたりする。なお、記憶装置８３は、データ記憶部１２やデータ記憶部５２としても用いられる。
【００５２】
入力Ｉ／Ｆ８４には各種入力装置（キーボード等の操作装置６やデジタルカメラ８等の外部機器など）が接続される。出力Ｉ／Ｆ８５には各種出力装置（モニタ等の表示装置７やプリンタ（図示略）など）が接続される。通信装置８６はインターネット２への接続に用いられ、通信に伴うデータ変換等を行ってインターネット２を通じた他のネットワークコンピュータとの間でプログラムやデータの送受信を行う。
【００５３】
ＣＰＵ８１が実行するプログラムやデータは、記録媒体８９にて提供される。ドライブ装置８７は、記録媒体８９を駆動してその記録内容にアクセスし、記録媒体８９からプログラムやデータを読み出して記憶装置８３に格納する。記録媒体８９には、光ディスクや光磁気ディスク等の媒体の他、通信装置８６を介して他のネットワークコンピュータからアップロード又はダウンロードしたプログラムを記録した媒体、ディスク装置等も含まれる。
【００５４】
図１１は、コンテンツ作成装置５（のＣＰＵ８１）でのコンテンツ作成処理を示す処理フローチャートである。
コンテンツ作成装置５は、まずデジタルカメラ８が接続されたか否かを判断する（ステップ１００）。ここでデジタルカメラ８の接続を検知すると、次いで、作成支援ソフト１１を起動し（ステップ１０１）、写真画像Ｐ及びそれに付随するタグ情報Ｔ１（一次情報：図３参照）の取り込みを行う（ステップ１０２）。
【００５５】
次に、タグ記入シートＳ１を表示装置７の画面上に表示させ、タグ情報Ｔ２（二次情報：図４参照）の入力を受付ける（ステップ１０３）。続いて、プロフィール記入シートＳ２を表示装置７の画面上に表示させ、プロフィール情報Ｙ１（図５参照）の入力を受付ける（ステップ１０４）。
【００５６】
次に、タグ情報（一次情報、二次情報）やプロフィール情報Ｙ１、履歴情報Ｒ（過去に情報の取得歴がある場合のみ）に基づいて、写真画像Ｐに付加する周辺情報Ｄをインターネット２を通じて情報管理サーバ４から取得（図６参照）する（ステップ１０５）。
【００５７】
次に、ステップ１０５で取得した周辺情報Ｄを、対応する写真画像Ｐとともに表示装置７の画面上に表示（図７参照）させる（ステップ１０６）。
次に、画面上での周辺情報Ｄの選択をユーザに促し、ユーザにより選択された周辺情報Ｄを周辺情報ファイルＦ３に登録する（ステップ１０７）。さらには、このとき選択された周辺情報Ｄに基づいて、ユーザの履歴情報Ｒ（図８参照）を登録又は更新する（ステップ１０８）。
【００５８】
次に、スライドショー実行プログラムを起動し、写真画像Ｐと選択された周辺情報Ｄとによるスライドショーを作成、実行（表示装置７の画面上に表示）する（ステップ１０９）。上記処理により、ユーザは、写真画像Ｐに付加する周辺情報Ｄを手間なく検索、取得して個人コンテンツの作成を容易に行うことができる。
【００５９】
以上記述したように、本実施の形態によれば、以下の効果を奏する。
（１）コンテンツ作成装置５は、デジタルカメラ８から写真画像Ｐを取り込む際にそれに付随するタグ情報Ｔ１を同時に取り込み、そのタグ情報Ｔ１に基づいて、写真画像Ｐに付加する一又は複数の周辺情報Ｄをインターネット２を通じ情報管理サーバ４から取得する。そして、その取得した周辺情報Ｄを写真画像Ｐとともに画面上に表示させ、該画面上で選択された周辺情報Ｄを写真画像Ｐに付加してそれらによるスライドショーを実行する。この構成によれば、ユーザは、インターネット２上から自動取得された周辺情報Ｄの中から自分の希望する情報を選択するのみで、その周辺情報Ｄを写真画像Ｐに付加した個人コンテンツの作成を行うことができる。即ち、周辺情報Ｄを自分で検索するといった煩雑な作業を行わずとも、個人コンテンツの作成を容易かつ短時間に行うことができる。又、タグ情報Ｔ１から周辺情報Ｄを自動検索するため、写真画像Ｐに関連性の高い情報の検索を行うことができる。
【００６０】
（２）周辺情報Ｄは、画像情報に限らず、文字情報や音楽情報（ダウンロード情報）が取得される。これにより、コンテンツ内容（情報）を充実させることができる。
（３）写真画像Ｐの取り込み時にタグ記入シートＳ１を画面上に表示させ、ユーザによるタグ情報Ｔ２の入力を可能とした。これにより、写真画像Ｐに付随するタグ情報Ｔ１（一次情報）のみでは不十分な情報をタグ情報Ｔ２（二次情報）により補い、より関連性の高い周辺情報Ｄを取得することが可能となる。
【００６１】
（４）写真画像Ｐの取り込み時にさらにプロフィール記入シートＳ２を画面上に表示させ、ユーザ個人のプロフィール情報Ｙ１の入力を可能とした。これにより、タグ情報Ｔ１，Ｔ２のみでは不十分な情報をプロフィール情報Ｙ１により補い、より一層関連性の高い周辺情報Ｄを取得することが可能となる。
【００６２】
（５）ユーザが選択した周辺情報Ｄの種別を判断して履歴情報Ｒとして蓄積し、該履歴情報Ｒを基に周辺情報Ｄの取得を行うようにした。これにより、よりユーザの好み・傾向にあった周辺情報Ｄを取得することが可能となる。
【００６３】
（６）情報管理サーバ４から取得した周辺情報Ｄを、写真画像Ｐの周りを周回移動させつつ、その移動位置に応じて拡大／縮小して表示させるようにした。このような表示態様とすることで、取得された周辺情報Ｄの中にどのような情報があるのかが、直感的に分かりやすくなる。又、単に羅列して表示されるよりも周辺情報Ｄを楽しみながら閲覧・選択することができる。
【００６４】
（７）写真画像Ｐと周辺情報Ｄとによるスライドショーを個人コンテンツとして作成するようにした。これにより、写真画像Ｐのみならず、その周辺情報Ｄを一緒に楽しむことができる。
【００６５】
（第２の実施の形態）
次に、本発明の第２の実施の形態を上記第１の実施の形態との相違点を中心に図１２に従って説明する。この第２の実施の形態は、周辺情報Ｄを画面表示させる際の他の態様例を示すものであり、その他は第１の実施の形態と同様である。なお、第１の実施の形態と同様の構成部分には同一符号を付して説明する。
【００６６】
図１２は、本実施の形態の周辺情報Ｄの画面表示例を示す説明図である。
同図に示すように、本実施の形態では、周辺情報Ｄ（Ｄ１，Ｄ２，Ｄ３，Ｄ４，…）がそれぞれ皿状の台座９１に載置されて表示される。この台座９１は、例えば、「街情報」を示す周辺情報Ｄは「赤」、「出来事情報」を示す周辺情報Ｄは「緑」、「音楽情報」を示す周辺情報Ｄは「青」、といったように、周辺情報Ｄの種別（カテゴリＣ）に応じて色分け表示される。このような表示態様とすることにより、周辺情報Ｄ１を閲覧・選択する楽しみを倍増させることができる。又、周辺情報ＤのカテゴリＣ別に台座９１が色分けされて表示されることにより、周辺情報Ｄの選択が行いやすくなる。
【００６７】
（第２の実施の形態の変形例）
・第２の実施の形態では、台座９１の色を、履歴情報Ｒによって管理する周辺情報Ｄの選択頻度に応じて色分け表示する態様としてもよい。この態様とすれば、ユーザは、過去に選択した周辺情報ＤのカテゴリＣを台座９１の色から判断することができるため、周辺情報Ｄの選択がより行いやすくなる。
【００６８】
・第２の実施の形態では、台座９１の色を、周辺情報Ｄを課金する料金に応じて色分け表示する態様としてもよい。即ち、コンテンツ作成システム１を、コンテンツ作成装置５が情報管理サーバ４から取得する周辺情報Ｄの種類（画像情報、文字情報、音楽情報）に応じて課金するシステムとした場合、その料金を台座９１の色で表示する態様としてもよい。この態様とすれば、ユーザは、周辺情報Ｄを取得する料金を台座９１の色から判断することができる。
【００６９】
（第３の実施の形態）
次に、本発明の第３の実施の形態を上記第１の実施の形態との相違点を中心に図１３に従って説明する。この第３の実施の形態は、周辺情報Ｄを画面表示させる際の他の態様例を示すものであり、その他は第１の実施の形態と同様である。なお、第１の実施の形態と同様の構成部分には同一符号を付して説明する。
【００７０】
図１３は、本実施の形態の周辺情報Ｄの画面表示例を示す説明図である。
同図に示すように、本実施の形態では、周辺情報ＤはカテゴリＣ毎に表示位置が区分して表示される。そして、周辺情報ＤはそれぞれのカテゴリＣに対応した位置で周回移動するように表示され、周回軌道上で画面奥から画面手前に向かって周回移動する際には徐々に拡大して表示されるとともに、周回軌道上で画面手前から画面奥に向かって周回移動する際には徐々に縮小して表示される。なお、周辺情報Ｄの表示位置は、履歴情報Ｒに基づいて、選択頻度の高いカテゴリＣほど画面手前の位置に、逆に、選択頻度の低いカテゴリＣほど画面奥の位置になるように設定される。その際、画面手前の位置のカテゴリＣほど周辺情報Ｄの軌道半径が大きくなるように設定される。このような表示態様とすることにより、ユーザは、周辺情報ＤをカテゴリＣに従って選択できるようになり、周辺情報Ｄの選択がより行いやすくなる。
【００７１】
なお、上記各実施の形態は、以下に記載する変形例の態様で実施してもよい。
（変形例１）作成支援ソフト１１に具備する機能（２０，３０，４０）や管理ソフト５１に具備する機能（６０，７０）の分散／統合の態様は、図２や図９に示す態様に必ずしも限定されない。
【００７２】
（変形例２）データ記憶部１２内の写真情報ファイルＦ１、プロフィール情報ファイルＦ２、周辺情報ファイルＦ３、履歴情報ファイルＦ４、スライドショーデータファイルＦ５、タグ記入シートＳ１、プロフィール記入シートＳ２を情報管理サーバ４のデータ記憶部５２内に蓄積し、タグ情報Ｔ２やプロフィール情報Ｙ１の登録処理、履歴情報Ｒの登録処理、周辺情報Ｄの表示データやスライドショーデータの作成処理を同サーバ４側で行うようにしてもよい。
【００７３】
（変形例３）周辺情報Ｄは、インターネット２を通じて取得する情報に必ずしも限定されず、例えば、コンピュータ（コンテンツ作成装置５）のデータ記憶部１２内に蓄積されている情報としてもよい。
【００７４】
（変形例４）周辺情報Ｄの表示態様は、図７，図１２，図１３に示す表示態様に必ずしも限定されず、例えば、写真画像Ｐと周辺情報Ｄとを順にポップアップして表示する態様でもよい。
【００７５】
（変形例５）コンテンツ作成装置５はパソコンに限定されない。操作装置６もキーボードやマウス等のみに限定されない。
（変形例６）その他上記各実施の形態及び上記各変形例の構成における設計的事項は、本発明の技術的思想の範囲内において適宜変更することができる。
【図面の簡単な説明】
【００７６】
【図１】コンテンツ作成システムを示す概略構成図。
【図２】コンテンツ作成装置の概略機能構成を示すブロック図。
【図３】タグ情報（一次情報）の例を示す説明図。
【図４】タグ記入シートの例を示す説明図。
【図５】プロフィール記入シートの例を示す説明図。
【図６】周辺情報の検索例（ａ），（ｂ）を示す説明図。
【図７】第１の実施の形態の周辺情報の画面表示例を示す説明図。
【図８】履歴情報を示す説明図。
【図９】情報管理サーバの概略機能構成を示すブロック図。
【図１０】コンピュータのハードウェア構成を示すブロック図。
【図１１】コンテンツ作成処理を示す処理フローチャート。
【図１２】第２の実施の形態の周辺情報の画面表示例を示す説明図。
【図１３】第３の実施の形態の周辺情報の画面表示例を示す説明図。
【符号の説明】
【００７７】
２：インターネット（ネットワーク）、４：情報管理サーバ（管理サーバ）、５：コンテンツ作成装置、６：操作装置、７：表示装置、８：デジタルカメラ、１１：作成支援ソフト、１２：データ記憶部、２０：取込制御部（取込手段）、２１：写真取込部、２２：タグ登録部、２３：プロフィール登録部、３０：周辺情報管理部、３１：周辺情報取得部（周辺情報取得手段）、３２：周辺情報表示部（周辺情報表示手段）、３３：履歴管理部、４０：スライドショー実行部（ページ作成手段）、９１：台座、Ｆ１：写真情報ファイル、Ｆ２：プロフィール情報ファイル、Ｆ３：周辺情報ファイル、Ｆ４：履歴情報ファイル、Ｆ５：スライドショーデータファイル、Ｓ１：タグ記入シート、Ｓ２：プロフィール記入シート、Ｐ：写真画像、Ｃ：カテゴリ、Ｄ：周辺情報、Ｒ：履歴情報、Ｙ１：プロフィール情報、Ｔ１：タグ情報（一次情報）、Ｔ２：タグ情報（二次情報）。
【図１】
2007104326.tif 000003
【図２】
2007104326.tif 000004
【図３】
2007104326.tif 000005
【図４】
2007104326.tif 000006
【図５】
2007104326.tif 000007
【図６】
2007104326.tif 000008
【図７】
2007104326.tif 000009
【図８】
2007104326.tif 000010
【図９】
2007104326.tif 000011
【図１０】
2007104326.tif 000012
【図１１】
2007104326.tif 000013
【図１２】
2007104326.tif 000014
【図１３】
2007104326.tif 000015